(57)【要約】【課題】構造が単純で廻り階段も露出階段で違和感が無い露出階段構造を提供する。【解決手段】三段廻り階段２００は、廻りササラ桁４０を有し、廻りササラ桁４０は、三段廻り階段２００における外周側に配置され、第一廻り踏板３１、第二廻り踏板３２及び直線階段１００の一方の直線ササラ桁１を支持する第一桁部材４１と、直線階段１００と垂直方向に延びるように三段廻り階段２００における外周側に配置され、第二廻り踏板３２及び第三廻り踏板３３を支持する第二桁部材４２と、三段廻り階段２００における内周側に配置され、第一廻り踏板３１、第二廻り踏板３２、第三廻り踏板３３及び直線階段１００の他方の直線ササラ桁１を支持する平面視略Ｌ字状の第三桁部材４３と、を備え、さらに第一桁部材４１、第二桁部材４２及び第三桁部材４３は全て木製で、しかも三段廻り階段２００は蹴込み板を有さず、他に支柱及び力桁も有さない。【選択図】図５
2019007323.tif 000002
【特許請求の範囲】
【請求項１】
露出階段である直線階段の下部に三段廻り階段が接続される階段構造であって、
前記三段廻り階段は、第一廻り踏板、前記第一廻り踏板の一段下段の第二廻り踏板及び前記第二廻り踏板の一段下段の第三廻り踏板を支持する廻りササラ桁を有し、
前記廻りササラ桁は、
前記直線階段と同じ方向に延びるように前記三段廻り階段における外周側に配置され、前記第一廻り踏板、前記第二廻り踏板及び前記直線階段の一方の直線ササラ桁を支持する第一桁部材と、
前記直線階段と垂直方向に延びるように前記三段廻り階段における外周側に配置され、前記第二廻り踏板及び前記第三廻り踏板を支持する第二桁部材と、
前記三段廻り階段における内周側に配置され、前記第一廻り踏板、前記第二廻り踏板、前記第三廻り踏板及び前記直線階段の他方の直線ササラ桁を支持する平面視略Ｌ字状の第三桁部材と、を備え、
さらに前記第一桁部材、前記第二桁部材及び前記第三桁部材は全て木製で、
しかも前記三段廻り階段は蹴込み板と他の支柱及び力桁を有さないことを特徴とする露出階段構造。
【請求項２】
前記直線階段の直線ササラ桁の上部の接続端部と、階上構造部材と、が接続部材を介して接続され、
前記接続部材は、
前記直線ササラ桁の荷重によって前記三段廻り階段が水平移動してしまわないだけの接続強度を有することを特徴とする請求項１に記載の露出階段構造。
【請求項３】
前記直線ササラ桁の接続端部に、上方及び前方に開口する取付溝が形成されるとともに、
前記接続部材は、
凸状又は凹状の第一嵌合部を有し、前記取付溝から突出しないように前記取付溝に装着される第一接続金具と、
前記第一接続金具の第一嵌合部と嵌合する凹状又は凸状の第二嵌合部を有し、前記階上構造部材に取付けられる第二接続金具と、を備えることを特徴とする請求項２に記載の露出階段構造。
【請求項４】
前記第一桁部材と前記第二桁部材の互いに接する側の端部を互いに上下に重ねて接合することを特徴とする請求項１乃至３のうちいずれか一つに記載の露出階段構造。
【請求項５】
直線階段の下部に廻り階段が接続される露出階段構造であって、
前記廻り階段は、廻り踏板及び廻り踏板を支持する廻りササラ桁を有し、
前記廻りササラ桁は、
前記直線階段と同じ方向に延びるように前記廻り階段における外周側に配置される第一桁部材と、
前記直線階段と異なる方向に延びるように前記廻り階段における外周側に配置される第二桁部材と、
前記廻り階段における内周側に配置される第三桁部材と、を備え、
前記直線階段の左右それぞれの直線ササラ桁の上部の接続端部と、階上構造部材と、が接続部材を介して接続されるとともに、
一方の前記直線ササラ桁の下部の接続端部が前記第一桁部材の上部に接続されるとともに、他方の前記直線ササラ桁の下部の接続端部が前記第三桁部材の上部に接続され、
しかも前記第一桁部材と前記第三桁部材における、前記直線ササラ桁の下部の接続端部が接続された部位の下部が設置面に支持されることを特徴とする露出階段構造。
【請求項６】
前記第一桁部材は複数の木質部材からなり、前記直線ササラ桁の下部の接続端部が接続される部材には略鉛直方向の繊維方向となる木質部材、他の部材には階段の傾斜方向の繊維方向となる木質部材、を含むことを特徴とする請求項５に記載の露出階段構造。
【請求項７】
直線階段の下部に廻り階段が接続される露出階段構造であって、
前記廻り階段は、廻り踏板及び廻り踏板を支持する廻りササラ桁を有し、
前記廻りササラ桁は、
前記直線階段と異なる方向に延びるように前記廻り階段における外周側に配置される第二桁部材と、
前記廻り階段における内周側に配置される第三桁部材と、を備え、
前記直線階段の直線ササラ桁の上部の接続端部と、階上構造部材と、が接続部材を介して接続されるとともに、
前記直線ササラ桁の下部の接続端部が前記第三桁部材の上部に接続され、
しかも前記第三桁部材における、前記直線ササラ桁の下部の接続端部が接続された部位の下部が設置面に支持されることを特徴とする露出階段構造。
【発明の詳細な説明】
【技術分野】
【０００１】
本発明は、露出階段である直線階段の下部に三段廻り階段が接続される露出階段構造に関するものである。
【背景技術】
【０００２】
露出階段は、高級感があって、軽快な印象を受けるので、玄関ホール等の演出の為に用いられる場合が多い。大半が直線階段としての施工であり、廻り階段部分までも露出とする例は僅かしかなかった。
【０００３】
以下に、露出階段である直線階段に廻り階段を組み合わせた代表的な構造例を示す（特許文献１乃至３参照）。
特許文献１又は２に記載の発明では、露出階段のササラ桁上部を通常の固定方法で上階に固定する。一方、廻り階段部分をブロック状の箱型階段とした上で、柱と腰板に渡した力桁受木にササラ桁下部を固定するかあるいは、床に直接ササラ桁下部を固定している。要するに露出階段は直線部分のみで、廻り階段部分は箱型階段となる。廻り階段部分裏面側は表面から隠蔽されているので補強材等を設けることも容易で、強度面でも有利となる。
【０００４】
特許文献３に記載の発明は、露出階段のササラ桁は通常の露出階段のように施工した上で、廻り階段部分は廻り階段とする部分のみ補助支柱を複数設置して廻り踏板を設置する。ササラ桁にて支持できない部分は補助支柱が支持する。強度面では直線の露出階段同等で問題無いが、廻り踏板裏面には、ササラ桁や補助支柱等が林立状態となってしまうので、隙間は僅かしか無い。
また、直線ササラ桁の下部を廻り階段とは別に支柱で支持しているものもある。
【先行技術文献】
【特許文献】
【０００５】
【特許文献１】実公昭６２−００７７８２号公報
【特許文献２】特開２００９−２３５６８８号公報
【特許文献３】特許第５６２５１６１号公報
【発明の概要】
【発明が解決しようとする課題】
【０００６】
しかしながら、従来の階段の場合、以下のような問題点があった。
特許文献１又は２のように、直線階段は露出階段にもかかわらず廻り階段部分のみ箱型階段の構造とした場合、一つの階段の途中で階段の雰囲気が変わってしまうので違和感がある。
【０００７】
特許文献３のように、階下の廻り階段２〜３段分のみ別途支持柱を設けて支持する場合、この部分はササラ桁、支柱等が林立し、廻り階段の内部が混沌とした状態となってしまうので、露出階段が本来持つ軽快感を喪失してしまう。
また、掃除を行う際には、支柱等が林立しているので掃除機のノズルが入り難く、特に埃が溜まり易い床面付近の掃除が困難である。
【０００８】
また、直線ササラ桁の下部を廻り階段とは別に支柱で支持する場合には、直線階段の重量を支え、かつ、前にずれようとする力に対抗できる様に、太く大きな部材あるいは金属などの強い部材を使う必要がある。
【０００９】
そこで、本発明の目的とするところは、構造が単純で廻り階段も露出階段で違和感が無い露出階段構造を提供することにある。
【課題を解決するための手段】
【００１０】
上記の目的を達成するために、本発明の請求項１に記載の露出階段構造は、露出階段である直線階段（１００）の下部に三段廻り階段（２００）が接続される階段構造であって、前記三段廻り階段（２００）は、第一廻り踏板（３１）、前記第一廻り踏板（３１）の一段下段の第二廻り踏板（３２）及び前記第二廻り踏板（３２）の一段下段の第三廻り踏板（３３）を支持する廻りササラ桁（４０）を有し、前記廻りササラ桁（４０）は、前記直線階段（１００）と同じ方向に延びるように前記三段廻り階段（２００）における外周側に配置され、前記第一廻り踏板（３１）、前記第二廻り踏板（３２）及び前記直線階段（１００）の一方の直線ササラ桁（１）を支持する第一桁部材（４１）と、前記直線階段（１００）と垂直方向に延びるように前記三段廻り階段（２００）における外周側に配置され、前記第二廻り踏板（３２）及び前記第三廻り踏板（３３）を支持する第二桁部材（４２）と、前記三段廻り階段（２００）における内周側に配置され、前記第一廻り踏板（３１）、前記第二廻り踏板（３２）、前記第三廻り踏板（３３）及び前記直線階段（１００）の他方の直線ササラ桁（１）を支持する平面視略Ｌ字状の第三桁部材（４３）と、を備え、さらに前記第一桁部材（４１）、前記第二桁部材（４２）及び前記第三桁部材（４３）は全て木製で、しかも前記三段廻り階段（２００）は蹴込み板と他の支柱及び力桁を有さないことを特徴とする。
【００１１】
また、請求項２に記載の露出階段構造は、前記直線階段（１００）の直線ササラ桁（１）の上部の接続端部（１ａ）と、梁等の階上構造部材（２）と、が接続部材（１０，２０）を介して接続され、前記接続部材（１０，２０）は、前記直線ササラ桁（１）の荷重によって前記三段廻り階段（２００）が水平移動してしまわないだけの接続強度を有することを特徴とする。
【００１２】
また、請求項３に記載の露出階段構造は、前記直線ササラ桁（１）の接続端部（１ａ）に、上方及び前方に開口する取付溝（１ｂ）が形成されるとともに、前記接続部材（１０，２０）は、凸状又は凹状の第一嵌合部（１５）を有し、前記取付溝（１ｂ）から突出しないように前記取付溝（１ｂ）に装着される第一接続金具（１０）と、前記第一接続金具（１０）の第一嵌合部（１５）と嵌合する凹状又は凸状の第二嵌合部（２２）を有し、前記階上構造部材（２）に取付けられる第二接続金具（２０）と、を備えることを特徴とする。
【００１３】
また、請求項４に記載の露出階段構造は、前記第一桁部材（４１）と前記第二桁部材（４２）の互いに接する側の端部を互いに上下に重ねて接合することを特徴とする。
【００１４】
また、請求項５に記載の露出階段構造は、直線階段（１００）の下部に廻り階段（２００）が接続される露出階段構造であって、前記廻り階段（２００）は、廻り踏板（３１，３２，３３）及び廻り踏板（３１，３２，３３）を支持する廻りササラ桁（４０）を有し、
前記廻りササラ桁（４０）は、前記直線階段（１００）と同じ方向に延びるように前記廻り階段（２００）における外周側に配置される第一桁部材（４１）と、前記直線階段（１００）と異なる方向に延びるように前記廻り階段（２００）における外周側に配置される第二桁部材（４２）と、前記廻り階段（２００）における内周側に配置される第三桁部材（４３）と、を備え、前記直線階段（１００）の左右それぞれの直線ササラ桁（１）の上部の接続端部（１ａ）と、階上構造部材（２）と、が接続部材（１０）を介して接続されるとともに、一方の前記直線ササラ桁（１）の下部の接続端部（１ｄ）が前記第一桁部材（４１）の上部に接続されるとともに、他方の前記直線ササラ桁（１）の下部の接続端部（１ｄ）が前記第三桁部材（４３）の上部に接続され、しかも前記第一桁部材（４１）と前記第三桁部材（４３）における、前記直線ササラ桁（１）の下部の接続端部（１ｄ）が接続された部位の下部が設置面に支持されることを特徴とする。
【００１５】
また、請求項６に記載の露出階段構造は、前記第一桁部材（４１）は複数の木質部材からなり、前記直線ササラ桁（１）の下部の接続端部（１ｄ）が接続される部材には略鉛直方向の繊維方向となる木質部材（４１ｄ）、他の部材には階段の傾斜方向の繊維方向となる木質部材（４１ｅ）、を含むことを特徴とする。
【００１６】
また、請求項７に記載の露出階段構造は、直線階段（１００）の下部に廻り階段（２００）が接続される露出階段構造であって、前記廻り階段（２００）は、廻り踏板（３１，３２，３３）及び廻り踏板（３１，３２，３３）を支持する廻りササラ桁（４０）を有し、
前記廻りササラ桁（４０）は、前記直線階段（１００）と異なる方向に延びるように前記廻り階段（２００）における外周側に配置される第二桁部材（４２）と、前記廻り階段（２００）における内周側に配置される第三桁部材（４３）と、を備え、前記直線階段（１００）の直線ササラ桁（１）の上部の接続端部（１ａ）と、階上構造部材（２）と、が接続部材（１０）を介して接続されるとともに、前記直線ササラ桁（１）の下部の接続端部（１ｄ）が前記第三桁部材（４３）に接続され、しかも前記第三桁部材（４３）における、前記直線ササラ桁（１）の下部の接続端部（１ｄ）が接続された部位の下部が接地面に支持されることを特徴とする。
【００１７】
ここで、上記括弧内の記号は、図面および後述する発明を実施するための形態に掲載された対応要素または対応事項を示す。
【発明の効果】
【００１８】
本発明によれば、三段廻り階段も蹴込み板を有さない露出階段で、しかも第一桁部材、第二桁部材及び第三桁部材は全て木製なので、その上部に接続される露出階段である直線階段と連続性があり、違和感が無い。
また、本発明によれば、三段廻り階段は蹴込み板と他の支柱及び力桁を有さないので、構造が単純である。よって、三段廻り階段であっても直線階段の露出階段が持つ軽快感を有し、しかも内部の掃除が楽である。
【００１９】
また、本発明によれば、直線階段の直線ササラ桁の上部の接続端部と、梁等の階上構造部材と、が接続部材を介して接続され、接続部材は、直線ササラ桁の荷重によって三段廻り階段が水平移動してしまわないだけの接続強度を有するので、三段廻り階段に求められる強度が低い。
【００２０】
また、本発明によれば、特に接続部材は、凸状又は凹状の第一嵌合部を有し、取付溝から突出しないように取付溝に装着される第一接続金具と、第一接続金具の第一嵌合部と嵌合する凹状又は凸状の第二嵌合部を有し、階上構造部材に取付けられる第二接続金具と、を備えるので、直線ササラ桁の荷重によって三段廻り階段が水平移動してしまわないだけの接続強度となる。
【００２１】
また、本発明によれば、第一桁部材と第二桁部材の互いに接する側の端部を互いに上下に重ねて接合するので、三段廻り階段の強度を向上することができる。
【００２２】
また、直線ササラ桁の下部の接続端部が接続された第一桁部材と第三桁部材における部位の下部が接地面に支持されるので、直線ササラ桁を第一桁部材や第三桁部材でそれぞれ支持可能である。
特に、第一桁部材は複数の木質部材からなり、直線ササラ桁が接続される部材の繊維方向は略鉛直方向で、他の部材の少なくとも一つの繊維方向は階段の傾斜方向となるようにすると、強度を確保可能である。
【図面の簡単な説明】
【００２３】
【図１】本発明の第一実施形態に係る露出階段構造における三段廻り階段の第一桁部材を示す図であり、（ａ）は平面図、（ｂ）は側面図である。
【図２】本発明の第一実施形態に係る露出階段構造における三段廻り階段の第二桁部材を示す図であり、（ａ）は平面図、（ｂ）は正面図である。
【図３】本発明の第一実施形態に係る露出階段構造における三段廻り階段の第三桁部材を示す図であり、（ａ）は平面図、（ｂ）は正面図、（ｃ）は側面図である。
【図４】本発明の第一実施形態に係る露出階段構造における三段廻り階段を示す斜視図である。
【図５】本発明の第一実施形態に係る露出階段構造における三段廻り階段を示す斜視図である。
【図６】本発明の第一実施形態に係る露出階段構造における三段廻り階段を示す斜視図である。
【図７】本発明の第一実施形態に係る露出階段構造における第一接続金具を示す斜視図である。
【図８】本発明の第一実施形態に係る露出階段構造における第二接続金具を示す斜視図である。
【図９】本発明の第一実施形態に係る露出階段構造における第一接続金具と第二接続金具との嵌合時の状態を示す側面図である。
【図１０】本発明の第二実施形態に係る露出階段構造における三段廻り階段の第一桁部材、第二桁部材、及び第三桁部材を示す平面図および側面図である。
【図１１】本発明の第二実施形態に係る露出階段構造における三段廻り階段を示す斜視図である。
【図１２】本発明の直線ササラ桁と廻りササラ桁の設置を示す図である。
【図１３】本発明の他の実施形態に係る露出階段構造における三段廻り階段の第三桁部材を示す図であり、（ａ）は平面図、（ｂ）は正面図、（ｃ）は側面図である。
【発明を実施するための形態】
【００２４】
(第一実施形態)
図１乃至図９を参照して、本発明の第一実施形態に係る露出階段構造を説明する。
この露出階段構造は、露出階段である直線階段１００の下部に三段廻り階段２００が接続される。そして、直線階段１００だけでなく三段廻り階段２００も蹴込み板を有さない露出階段であることを特徴とする（例えば図５参照）。
本実施形態においては、直線階段１００から見て梁等の階上構造部材２の方向を前方とし、また直線階段１００の直線ササラ桁１の厚さ方向を左右方向とした。つまり、直線階段から階上構造部材２の方向を向いたときの右を、本実施形態における右としている。
なお、図１については紙面左方が本実施形態における前方、図２については紙面左方が本実施形態における左方、図３（ｃ）については紙面左方が本実施形態における後方である。
【００２５】
まず、三段廻り階段２００について説明する。
三段廻り階段２００は、第一廻り踏板３１、第二廻り踏板３２、第三廻り踏板３３の三枚の廻り踏板３０と、廻り踏板３０を支持する外周側及び内周側の廻りササラ桁４０を有するとともに、他の支柱及び力桁を有さない。
また、三段廻り階段２００は露出階段であるので、蹴込み板を有さない。
【００２６】
廻り踏板３０は、上から順番に第一廻り踏板３１、第二廻り踏板３２、第三廻り踏板３３となっている。つまり、第一廻り踏板３１の一段下段が第二廻り踏板３２、第二廻り踏板３２の一段下段が第三廻り踏板３３である。
本実施形態における廻り踏板３０は従来の廻り踏板と同様の形状である。つまり、第一廻り踏板３１と第三廻り踏板３３は平面視直角三角形であり、第二廻り踏板３２は平面視で一つの角だけが直角の四角形である。
【００２７】
廻りササラ桁４０は、第一桁部材４１、第二桁部材４２及び第三桁部材４３からなり、それらは全て基本板厚が７２ｍｍの木製材である。
【００２８】
第一桁部材４１は、図１に示すように板材であり、直線階段１００と同じ方向（前後方向）に延びるように三段廻り階段２００における外周側に立設配置される。
ここでの外周側とは三段廻り階段２００における左側である。
第一桁部材４１は、第一本体部４１ａと、第一本体部４１ａの前端から下方に突出する脚部４１ｃと、第一本体部４１ａの下部後端から後方に突出する後方突出部４１ｂと、を備える。
第一本体部４１ａの下端と後方突出部４１ｂの下端は高さ位置が一致しており、後方突出部４１ｂの上端は第一本体部４１ａの高さ位置の略中央である。
【００２９】
また、第一本体部４１ａの後端（後方突出部４１ｂが無い部分）は右方から左方に向かって後方に突出している。
第一桁部材４１の第一本体部４１ａには第一廻り踏板３１が上載され、後方突出部４１ｂには第二廻り踏板３２が上載される。このとき、第一本体部４１ａの後端に形成された斜面に第二廻り踏板３２を沿わせて配置される。
【００３０】
第二桁部材４２は、図２に示すように板材であり、直線階段１００と垂直方向（左右方向）に延びるように三段廻り階段２００における外周側に立設配置される。
第二桁部材４２は、第二本体部４２ａと、第二本体部４２ａの上端から上方に突出する第二上部４２ｂと、を備える。
第二上部４２ｂの左端は、第二本体部４２ａの左端から第二桁部材４２の厚さ分だけ右に位置する。また、第二上部４２ｂの高さ（第二本体部４２ａの上端からの高さ）は第二本体部４２ａの高さよりも若干高い。
また、第二上部４２ｂの右端は、後方から前方に向かって右方に突出している。
【００３１】
第二桁部材４２の第二本体部４２ａの左端に、第一桁部材４１の後方突出部４１ｂの後端が上から重ねられる。つまり、第一桁部材４１と第二桁部材４２の互いに接する側の端部が互いに上下に重ねされて接合される。
また、第二上部４２ｂには第二廻り踏板３２が上載され、第二本体部４２ａには第三廻り踏板３３が上載される。このとき、第二上部４２ｂの右端の斜面には第三廻り踏板３３を添わせて配置される。
【００３２】
第三桁部材４３は、図３に示すように平面視略Ｌ字状であり、三段廻り階段２００における内周側に立設配置される。
また、第三桁部材４３は、第三本体部４３ａと、第三本体部４３ａの後端から右方に突出する右方突出部４３ｂと、第三中間部４３ｃと、を備える。
右方突出部４３ｂ、第三中間部４３ｃ、第三本体部４３ａが下から順に一段目、二段目、三段目を構成する。
右方突出部４３ｂの後端は、右方から左方に向かって後方に突出している。ここで形成される斜面に沿って第二廻り踏板３２が配置される。右方突出部４３ｂの高さは第三本体部４３ａの高さの略１／３である。
また、第三中間部４３ｃは後方から前方に向かって右方に突出している。ここで形成されてる斜面に沿って第三廻り踏板３３が配置される。第三中間部４３ｃの高さは第三本体部４３ａの高さの略２／３である。
また、第三本体部４３ａの前端には直線階段１００の右側の直線ササラ桁１が上載されるとともに、第三本体部４３ａの前端以外の部分には第一廻り踏板３１が上載される。
また、第三桁部材４３は、図１３に示すように平面視略台形状で、上記同様に各廻り踏み板が配置されるための加工を施してあるものでも良く、さまざまな平面形状が考えられる。
【００３３】
廻りササラ桁４０はこのように構成及び配置されるので、図５に示すように第二桁部材４２と第三桁部材４３との間には空隙Ｓが形成される。
【００３４】
ここで、直線ササラ桁１や廻り踏板３０からの視点で、それらがどこに配置されるか述べる。
直線階段１００の左側の直線ササラ桁１の下端は、第一桁部材４１の第一本体部４１ａの前部に上載されるとともに固定される。
直線階段１００の右側の直線ササラ桁１の下端は、第三桁部材４３の第三本体部４３ａの前端に上載されるとともに固定される。
そして、三段廻り階段２００に対する直線ササラ桁１の固定位置は前後に微調整可能である。
【００３５】
第一廻り踏板３１は、第一桁部材４１の第一本体部４１ａと第三桁部材４３の第三本体部４３ａに架け渡すように上載されるとともに固定される。
第二廻り踏板３２は、第一桁部材４１の後方突出部４１ｂと第二桁部材４２の第二上部４２ｂ、第三桁部材４３の第三中間部４３ｃに架け渡すように上載されるとともに固定される。
第三廻り踏板３３は、第二桁部材４２の第二本体部４２ａと第三桁部材４３の右方突出部４３ｂに架け渡すように上載されるとともに固定される。
【００３６】
次に、三段廻り階段２００に接続される直線階段１００について説明する。
この直線階段１００自体は、通常の露出階段であり、左右の直線ササラ桁１と踏板からなる。そして、直線ササラ桁１の上部の接続端部１ａに取り付けられる接続部材１０，２０に特徴を有する。
接続部材１０，２０は、これを介して直線階段１００を階上構造部材２に取り付けるものであり、第一接続金具１０と、第二接続金具２０と、を備える。
【００３７】
第一接続金具１０は、図７に示すように第一本体板１１と、二枚の第一側板１２と、第一上板１３と、係止部１５と、を備える金属部材である。
第一本体板１１は鉛直方向に延び、縦に二つの取付孔（図示しない）が形成されている。この取付孔を介して第一接続金具１０は直線ササラ桁１の取付溝１ｂの奥壁に取り付けられる。
第一側板１２は、二枚あり、それぞれが第一本体板１１の左右両端から前方に向かって立設し互いに向かい合う。また、第一側板１２の相対する位置にそれぞれ支持孔１２ａが形成されている。
【００３８】
第一上板１３は、第一本体板１１の上端から前方に向かって立設する。第一上板１３の下面は第一側板１２の上端からは離間している。また、第一上板１３の略中央に孔が形成されている。
第一本体板１１と二枚の第一側板１２と第一上板１３は一枚の金属の板状部材をプレス加工によって一体的に形成してなる。これらの厚さは３ｍｍである。
【００３９】
係止部１５は、直径が第一側板１２の支持孔１２ａの直径未満で略等しい棒状部材である。そして、左右方向に延びるように第一側板１２の支持孔１２ａを挿通し、渡すようにして二つの支持孔１２ａによって支持される。このとき、係止部１５は支持孔１２ａに通しただけであり、係止部１５と第一側板１２とは固定していない。
また、係止部１５の長さは第一側板１２の外側表面間の距離と略等しく、二つの支持孔１２ａに係止部１５を挿通した状態では第一側板１２の外側表面から係止部１５が突出せず、係止部１５の先端が第一側板１２の外側表面と面一になっている。
【００４０】
第二接続金具２０は、図８に示すように第二本体板２１と、二枚の第二側板２２と、第二上板２３と、を備える金属部材である。
第二本体板２１は、鉛直方向に延び、縦に二つの取付孔が形成されている。この取付孔を介して第二接続金具２０は階上構造部材２に取り付けられる。
【００４１】
第二側板２２は、二枚あり、それぞれが第二本体板２１の左右両端から後方に向かって立設し互いに向かい合う。
第二側板２２は、上方が開口するように略Ｕ字状の案内溝２２ａが形成された受けフックをそれぞれ構成しており、第二側板２２自体の形状は略Ｊ字状となっている。
また、受けフックの案内溝２２ａはその下部において上方から下方になるにつれて僅かに前方に向かうように形成されている。
第二側板２２の外側表面間の距離は、第一側板１２の内側表面間の距離よりも短い。
【００４２】
第二上板２３は、第二本体板２１の上端から後方に向かって立設しており、第二上板２３の下面は第二側板２２の上端からは離間している。
このような第二本体板２１と二枚の第二側板２２と第二上板２３は、一枚の金属の板状部材をプレス加工によって一体的に形成してなる。これらの厚みも３ｍｍである。
第二上板２３の略中央に雌ネジ２３ａが形成されている。つまり、第二上板２３の略中央に孔が形成されるとともにその孔にタップが切られている。
この雌ネジ２３ａの位置は、第一接続金具１０と第二接続金具２０との嵌合時において第一上板１３の孔１３ａ直下となる第二上板２３の部分である。
【００４３】
このように構成された接続部材１０，２０が用いられる直線階段１００の階上構造部材２への取付構造について説明する。
直線ササラ桁１は直線階段１００において左右それぞれに配置される。ここでは左右一方について説明する。
直線ササラ桁１の上部の接続端部１ａには、上方及び前方に開口する取付溝１ｂが形成されている。一方、接続端部１ａは下方には開口していない。取付溝１ｂ自体の形状は直方体状である。
【００４４】
このような取付溝１ｂから第一接続金具１０が突出（露出）しないように第一接続金具１０はコーチボルトによって装着される。
一方、第二本体板２１がコーチボルトによって階上構造部材２に取り付けられる。
【００４５】
そして、図９に示すように係止部１５を受けフック２２の案内溝２２ａ内に落とし込むことで第一接続金具１０を第二接続金具２０と嵌合させるとともに、ボルトＢを第一上板１３の孔１３ａを介して第二上板２３の雌ネジ２３ａに対して螺合させる。
最後に、踏板をササラ桁１の接続端部１ａの上面に木ねじによって着脱自在に取付ける。更に、木ねじの頭を踏板に埋め込んで隠すために頭の上部に着脱可能な蓋を施しても良い。
【００４６】
この第一接続金具１０と第二接続金具２０とが強固に嵌合可能なことにより、直線ササラ桁１の荷重によって三段廻り階段２００が水平移動してしまわないだけの接続強度を有している。すなわち、接続部材１０，２０が直線階段１００の荷重の水平成分を受けている。
また、第一接続金具１０と第二接続金具２０とをボルトＢにて螺合することにより、上下方向に地震などで力が加わった場合でも、金具が外れることを防ぐ構造となっている。さらに、ササラ桁上端に踏み板が設置されることで、取付溝１ｂの上部が踏板でふさがれるので、ボルトＢが緩んだ場合でもボルトＢが長ければボルトＢの頭部が踏板に当ることで、抜けることも防止される。
【００４７】
以上のように構成された露出階段構造によれば、三段廻り階段２００も蹴込み板を有さない露出階段で、しかも第一桁部材４１、第二桁部材４２及び第三桁部材４３は全て木製なので、その上部に接続される露出階段である直線階段１００と連続性があり、違和感が無い。
また、三段廻り階段２００は蹴込み板と他の支柱及び力桁を有さないので、図５に示すように構造が単純である。よって、三段廻り階段２００であっても直線階段１００の露出階段が持つ軽快感を有し、しかも内部の掃除が楽である。例えば、内部に掃除機のノズルや自動掃除機が容易に入り、またこのスペースに自動掃除機等を収納することも可能である
【００４８】
また、直線階段１００の直線ササラ桁１の上部の接続端部１ａと、梁等の階上構造部材２と、が接続部材を介して接続され、接続部材１０，２０は、直線ササラ桁１の荷重によって三段廻り階段２００が水平移動してしまわないだけの接続強度を有するので、従来のものに比べて三段廻り階段２００に求められる強度が低い。
特に接続部材１０，２０は、凸状又は凹状の第一嵌合部１５を有し、取付溝１ｂから突出しないように取付溝１ｂに装着される第一接続金具１０と、第一接続金具１０の第一嵌合部１５と嵌合する凹状又は凸状の第二嵌合部２２を有し、階上構造部材２に取付けられる第二接続金具２０と、を備えるので、直線ササラ桁１の荷重によって三段廻り階段２００が水平移動してしまわないだけの接続強度となる。
【００４９】
さらに、第一桁部材４１と第二桁部材４２の互いに接する側の端部を互いに上下に重ねて接合するので、三段廻り階段２００の強度を向上することができる。
【００５０】
（第二実施形態）
図１０及び図１１を参照して、本発明の第二実施形態に係る露出階段構造を説明する。
図１０（ａ）は第一実施形態の第一桁部材４１を第一部材４１ｄと第二部材４１ｅの二つの部材からなるようにしたもので、図１１に示すように、第一部材４１ｄは左側の直線ササラ桁１の下端および第一廻り踏板３１を支え、第二部材４１ｅは、第一廻り踏板３１、第二廻り踏板３２および第二桁部材４２を支える。第一部材４１ｄと第二部材４１ｅの互いに接する側の端部を互いに上下に重ねてコーチボルト等で上下に接合すると強度的に優れる。
【００５１】
この際、第一桁部材４１の第一部材４１ｄの木質繊維方向を鉛直方向とし、例えば第二部材４１ｅは直線ササラ桁１と同様の繊維方向あるいは階段の傾斜方向と同様の繊維方向を持つ部材とすることで、直線ササラ桁１からの圧縮加重に対する強度を確保した上で、傾斜方向の力にも耐え、かつ、必要な木材の幅を抑えた木取りができる様になり、コストも低減され、デザインの自由度も増すことが出来る。
図１０（ｂ）は第一実施形態に係る第二桁部材４２の変形例であり、第二廻り踏板３２、第三廻り踏板３３を支える。
【００５２】
これら第一桁部材４１の第二部材４１ｅと第二桁部材４２との支える関係は、第一実施形態の場合とは逆となっており、第二桁部材４２の左端下部を切り欠いた場合、第一桁部材４１の加重を支えることが出来ないので、支え方を逆にして第一桁部材４１を接地させ、第二桁部材４２をこの上に置いて支える設計とした。
図１０（ｃ）は第一実施形態の第三桁部材４３の変形例であり、側面略台形形状をして、第一桁部材４１の第一部材４１ｄと同様のデザインとし、デザインの統一性を高めている。また、繊維方向を第一桁部材４１の第一部材４１ｄ同様に鉛直方向としている。
【００５３】
第一桁部材の第一部材４１ｄ、第二部材４１ｅや、第三桁部材４３などに使用する木質材料は、所定の繊維方向で使用するのが好ましく、例えば、無垢の木材、集成材、単板積層材などを用いると良い。
積層した木質材料を使用する場合、主たる繊維方向を所定方向に向けることで、同様に好適に使用でき、一部の合板や、配向性ストランドボードなどで繊維方向の多数を同一方向に配向したものは、強度を考慮して使用可能である。
このように、廻りササラ桁４０（４１，４２，４３）は適宜その構成及び配置を変形することが出来る。
【００５４】
次に図１２を参照して、本願発明の露出階段の、廻り階段と直線階段の施工について説明する。
まず、三段廻り階段２００を施工する。次に階上構造部材２に接続部材の一方である第二接続金具２０を所定の位置に取り付ける。直線ササラ桁１には予め所定の位置に接続部材の他方である第一接続金具１０を取り付けておく。
【００５５】
この状態で、直線ササラ桁１の下端を廻りササラ桁４０に載せると共に、その上部の接続部１ａの取付溝１ｂの第一接続端部１０に、階上構造部材２に取り付けてある第二接続部材２０を差込み、直線ササラ桁１を上方から下ろしながら階上構造部材２に近付けることで、接続部材１０，２０をはめ込む。
次に直線ササラ桁１の下端を、コーチボルトＣを用いて廻りササラ桁４０に固定すると共に、直線ササラ桁１上端の接続部材１０，２０同士を、ボルトＢを締めて固定する。
この様に、長尺で、重量のある、直線ササラ桁１を、廻りササラ桁４０の上に載せながら梁２にも固定することが、接続部材１０，２０の使用による容易な位置決めと、その架台となる廻りササラ桁４０の支えとで、容易に行えるようになった。
【００５６】
上記の手順の三段廻り階段の施工は、次のように行うことも出来る。
三段廻り階段２００を、廻りササラ桁４０と第一廻り踏板３１、第二廻り踏板３２を組み上げる事で変形しない枠組みとする。この状態で床には固定しないで、所定位置に置いた上で、上記の直線ササラ桁１の設置をし、直線ササラ桁１の下端を廻りササラ桁４０に上載し固定する。その後、第二桁部材４２（図１０（ｂ））の右端をコーチボルトで、各廻りササラ桁４１，４２，４３を金具などにて、床に固定し、その上で第三廻り踏板３３を設置することで、階上構造部材２を基準として、直線階段、廻り階段の位置が順に定まって行くように施工され、細かな誤差を吸収した位置合わせが容易に行えた。
【００５７】
この誤差は、直線ササラ桁１を取り付ける階上構造部材２である梁の面の鉛直面からの傾きや、それを支える柱のわずかな傾き、床高さの誤差などの集積で、設計状態とは異なる配置となることから生じる。階段はその全長が長いので、これらのわずかな誤差の集積でも端部では大きな誤差が生じやすいので、この様に現場でのあわせが容易な様に施工できる本願の階段構造は大きな利点となる。
また、三段廻り階段２００を組み立てた後は、この全体で直線ササラ桁１から加わる力を支えることとなり、第一桁部材４１と第三桁部材４３の直線ササラ桁１直下で支持するのみならず、第一桁部材４１や第二桁部材４２にある床などへの設置する部分や、これらの固定金具などでもこの力を分散して支える。
廻りササラ桁４０は、直下の床を大引き、束などで下支えされた設置面に設置されている。
上記ササラ桁１，４０の固定後に、直線階段の踏板や手摺、化粧材などの施工を行い、階段を完成させる。
【００５８】
（第三実施形態）
露出階段には従来から、片側をササラ桁１で、他方を壁の構造材にて、その踏板を支える様にした直線階段がある。この場合、直線ササラ桁１は片側のみであるが、これを廻り階段の廻りササラ桁４３の片側で受ける構造に応用できる。
すなわち、廻り階段の外側にあたる部分が壁の場合は、廻りササラ桁の第一桁部材４１の役割が壁の構造材で行われるので、その場合の三段廻り階段は、第二桁部材４２、第三桁桁部材４３、および、各廻り踏板３１，３２，３３で構成される。直線ササラ桁１は、第三桁部材４３で支えられる。
廻り階段の内側にあたる部分が壁（直線階段の部分が壁）の場合は、廻りササラ桁４０の第三桁部材４３の役割が壁の構造材で行われることも可能なので、その場合の三段廻り階段は、第一桁部材４１、第二桁部材４２、及び各廻り踏板３１，３２，３３で構成される。このとき、直線ササラ桁１は、第一桁部材４１で支えられる。
いずれにしても、直線ササラ桁の施工は、これまでの実施例と同様に行える。
【００５９】
なお、以上の実施形態において、第一接続金具１０と第二接続金具２０からなる接続部材１０，２０によって直線階段１００を階上構造部材２に接続したが、これに限られるものではなく、直線階段１００を階上構造部材２に強固に接続可能であれば他の方法を採用してもよい。
【００６０】
また、本願で言う「ササラ桁」は、独立した桁であるが、その上面で踏板を支えるもののみでなく、その側面に例えば溝を切り欠く、あるいは、金具を取り付けることで踏板を支える様な、桁でも可能である。しかし、独立した桁なので壁面に固定された側板は含まれない。
【００６１】
上記の実施例では第二桁部材４２が、直線階段の方向から９０度の方向に置かれたが、周り階段のデザインに応じて、例えば７０度とするなど、より直線階段の方向を向いた（直線階段から鈍角に曲がる）廻り階段とすることもでき、この場合は踏み板３１，３２，３３がその開いた角度の分だけ長く、また形状を変えて設計されるなど、適宜変更される。
廻り階段の段数も３段以上にし廻りササラ桁、踏板の数を適宜変更してよい。
【００６２】
また、第一桁部材４１と第二桁部材４２の互いに接する側の端部を互いに上下に重ねて接合したが、これに限られるものではない。
【００６３】
また、第三廻り踏板３３の高さ位置を本実施形態の係るものよりも高く設計した場合、第二桁部材４２の下部に空隙Ｓを形成してもよい。
このように設計変更した場合、各廻り踏板３０を廻りササラ桁４０によって支持可能なように各廻りササラ桁４０も適宜変更可能である。
【００６４】
また、第一桁部材４１の脚部４１ｃを除いた下端を水平にしているが、例えばここを直線ササラ桁１が延びる方向と平行なデザインとなるように適宜変更してもよい。
同様に、第一桁部材４１の脚部４１ｃや第三桁部材４３の端面を鉛直ではなく角度を持たせるようにする等のデザイン上の変更は適宜行うことができる。
【００６５】
さらには、廻り階段は三段廻り階段２００である必要は無く、四段廻り階段であってもよい。このとき、廻りササラ桁４０は廻り踏板３０を異なる高さにおいて支持可能なように適宜加工される。
【００６６】
また、第一桁部材４１、第二桁部材４２、第三桁部材４３を固定金具を用いてそれぞれ床に固定してもよい。
以上では、直線ササラ桁１を梁などの階上構造材２に取り付けると記載しているが、梁や柱などの階上構造部材２の表面に、石膏ボードや合板、更にはクロス貼りなどを行って表面仕上げ材が施された後に、第二接続金具２０を取り付けてササラ桁１を取り付ける場合でも同様の効果が生じる。
【符号の説明】
【００６７】
１      直線ササラ桁
１ａ    上部の接続端部
１ｂ    取付溝
１ｃ    欠き込み
１ｄ    下部の接続端部
２      階上構造部材（梁）
１０      第一接続金具（接続部材）
１１      第一本体板
１２      第一側板
１２ａ    支持孔
１３      第一上板
１３ａ    孔
１５      係止部（第一嵌合部）
２０      第二接続金具（接続部材）
２１      第二本体板
２２      第二側板（受けフック、第二嵌合部）
２２ａ    案内溝
２３      第二上板
２３ａ    雌ネジ
３０      廻り踏板
３１      第一廻り踏板
３２      第二廻り踏板
３３      第三廻り踏板
４０      廻りササラ桁
４１      第一桁部材
４１ａ    第一本体部
４１ｂ    後方突出部
４１ｃ    脚部
４１ｄ    第一部材
４１ｅ    第二部材
４２      第二桁部材
４２ａ    第二本体部
４２ｂ    第二上部
４３      第三桁部材
４３ａ    第三本体部
４３ｂ    右方突出部
４３ｃ    第三中間部
１００      直線階段
２００      三段廻り階段（廻り階段）
Ｂ      ボルト
Ｃ      コーチボルト
Ｓ      空隙
【図１】
2019007323.tif 000003
【図２】
2019007323.tif 000004
【図３】
2019007323.tif 000005
【図４】
2019007323.tif 000006
【図５】
2019007323.tif 000007
【図６】
2019007323.tif 000008
【図７】
2019007323.tif 000009
【図８】
2019007323.tif 000010
【図９】
2019007323.tif 000011
【図１０】
2019007323.tif 000012
【図１１】
2019007323.tif 000013
【図１２】
2019007323.tif 000014
【図１３】
2019007323.tif 000015